(57)【要約】【課題】ドライバーソフトウェアをインストールすることができない電子機器に装着して使用することができ、既存のメモリカードと同様に電子機器に取着できるメモリカードを提供する。【解決手段】データ読取装置からのデータ送信要求に対応してフラッシュメモリ１１４からデータの読み出しが実行され、信号処理部１１８はフラッシュメモリから読み出されたデータのビット・イメージが供給されると、このビット・イメージに対応してアンテナ・スイッチ１１６をオン／オフ制御し、アンテナ１１６の負荷インピーダンスの切替を行い、これにより外部からアンテナ１１６に送信される無変調キャリアに変調を掛けて反射波を生成し、この反射波によってデータをデータ読取装置に送信する。【選択図】        図３
2006031512.tif 000002
【特許請求の範囲】
【請求項１】
データを格納する記憶手段を有し、電子機器に装着されて該電子機器と前記記憶手段の間で前記データを転送し、さらにデータ読取装置へ前記データの送信を可能としたメモリカードであって、
アンテナと、
オン／オフすることで前記アンテナの負荷インピーダンスを切り替えるアンテナ・スイッチと、
前記記憶手段に格納されたデータを読み出す読み出し手段と、
前記データ読取装置からのデータ送信要求に対応して前記読み出し手段による前記データの読み出しを実行させ、前記読み出し手段により読み出されたデータのビット・イメージに基づいて前記アンテナ・スイッチをオン／オフ制御することで、前記アンテナの負荷インピーダンスの切替を行い、これにより外部から前記アンテナに送信される無変調キャリアに変調を掛けて反射波を生成し、この反射波によって前記データを前記データ読取装置に送信する無線通信手段と、
を備えることを特徴とするメモリカード。
【請求項２】
前記データは１以上のファイルを含み、前記データ送信要求は、前記ファイルとそのファイル構成の少なくとも一方の送信を要求するものであることを特徴とする請求項１記載のメモリカード。
【請求項３】
前記データ送信要求は、前記データ読取装置から前記アンテナに送信される無線信号であることを特徴とする請求項１記載のメモリカード。
【請求項４】
前記メモリカードは、前記電子機器と前記記憶手段の間で前記データを転送する有線通信手段を有することを特徴とする請求項１記載のメモリカード。
【請求項５】
前記有線通信手段による前記データの転送動作がなされている間は、前記無線通信手段による前記データの送信動作が禁止され、前記無線通信手段による前記データの送信動作がなされている間は、前記有線通信手段による前記データの転送動作が禁止されるように構成されていることを特徴とする請求項４記載のメモリカード。
【請求項６】
前記有線通信手段は、コネクタを介して前記電子機器に接続されることを特徴とする請求項５記載のメモリカード。
【請求項７】
前記コネクタは、前記メモリカードに設けられたメモリカード側コネクタと、前記電子機器に設けられ前記メモリカード側コネクタに装脱可能に接続される電子機器側コネクタとで構成されていることを特徴とする請求項６記載のメモリカード。
【請求項８】
前記メモリカードはケースを有し、前記アンテナは前記ケースの内部に収容されていることを特徴とする請求項１記載のメモリカード。
【請求項９】
データを格納する記憶手段を有し、電子機器に装着されて該電子機器と前記記憶手段の間で前記データを転送し、さらにデータ読取装置へ前記データの送信を可能とし、アンテナと、オン／オフすることで前記アンテナの負荷インピーダンスを切り替えるアンテナ・スイッチと、前記記憶手段に格納されたデータを読み出す読み出し手段と、前記アンテナ・スイッチをオン／オフ制御する無線通信手段とを有するメモリカードの通信制御方法であって、
前記無線通信手段が、データ読取装置からのデータ送信要求に対応して前記読み出し手段による前記データの読み出しを実行させ、前記読み出し手段により読み出されたデータのビット・イメージに基づいて前記アンテナ・スイッチをオン／オフ制御することで、前記アンテナの負荷インピーダンスの切替を行い、これにより外部から前記アンテナに送信される無変調キャリアに変調を掛けて反射波を生成し、この反射波によって前記データを前記データ読取装置に送信する、
ことを特徴とするメモリカードの通信制御方法。
【請求項１０】
前記データは１以上のファイルを含み、前記データ送信要求は、前記ファイルとそのファイル構成の少なくとも一方の送信を要求するものであることを特徴とする請求項９記載のメモリカード通信制御方法。
【請求項１１】
前記データ送信要求は、前記データ読取装置から前記アンテナに送信される無線信号であることを特徴とする請求項９記載のメモリカードの通信制御方法。
【請求項１２】
前記メモリカードは、前記電子機器と前記記憶手段の間で前記データを転送する有線通信手段を有し、前記有線通信手段による前記データの転送動作がなされている間は、前記無線通信手段による前記データの送信動作が禁止され、前記無線通信手段による前記データの送信動作がなされている間は、前記有線通信手段による前記データの転送動作が禁止されるように構成されていることを特徴とする請求項９記載のメモリカードの通信制御方法。
【請求項１３】
メモリカードが装脱可能に設けられた電子機器であって、
前記メモリカードは、データを格納する記憶手段を有し、電子機器に装着されて該電子機器と前記記憶手段の間で前記データを転送し、さらにデータ読取装置へ前記データの送信を可能としたものであって、アンテナと、オン／オフすることで前記アンテナの負荷インピーダンスを切り替えるアンテナ・スイッチと、前記記憶手段に格納されたデータを読み出す読み出し手段と、前記データ読取装置からのデータ送信要求に対応して前記読み出し手段による前記データの読み出しを実行させ、前記読み出し手段により読み出されたデータのビット・イメージに基づいて前記アンテナ・スイッチをオン／オフ制御することで、前記アンテナの負荷インピーダンスの切替を行い、これにより外部から前記アンテナに送信される無変調キャリアに変調を掛けて反射波を生成し、この反射波によって前記データを前記データ読取装置に送信する無線通信手段とを備える、
ことを特徴とする電子機器。
【請求項１４】
前記データは１以上のファイルを含み、前記データ送信要求は、前記ファイルとそのファイル構成の少なくとも一方の送信を要求するものであることを特徴とする請求項１３記載の電子機器。
【請求項１５】
前記データ送信要求は、前記データ読取装置から前記アンテナに送信される無線信号であることを特徴とする請求項１３記載の電子機器。
【請求項１６】
前記メモリカードは、前記電子機器と前記記憶手段の間で前記データを転送する有線通信手段を有することを特徴とする請求項１３記載の電子機器。
【請求項１７】
前記有線通信手段による前記データの転送動作がなされている間は、前記無線通信手段による前記データの送信動作が禁止され、前記無線通信手段による前記データの送信動作がなされている間は、前記有線通信手段による前記データの転送動作が禁止されるように構成されていることを特徴とする請求項１６記載の電子機器。
【請求項１８】
電子機器と、前記電子機器に装脱可能に設けられたメモリカードと、データ読取装置とを有する無線通信システムであって、
前記メモリカードは、データを格納する記憶手段を有し、電子機器に装着されて該電子機器と前記記憶手段の間で前記データを転送し、さらにデータ読取装置へ前記データの送信を可能としたものであって、アンテナと、オン／オフすることで前記アンテナの負荷インピーダンスを切り替えるアンテナ・スイッチと、前記記憶手段に格納されたデータを読み出す読み出し手段と、前記データ読取装置からのデータ送信要求に対応して前記読み出し手段による前記データの読み出しを実行させ、前記読み出し手段により読み出されたデータのビット・イメージに基づいて前記アンテナ・スイッチをオン／オフ制御することで、前記アンテナの負荷インピーダンスの切替を行い、これにより外部から前記アンテナに送信される無変調キャリアに変調を掛けて反射波を生成し、この反射波によって前記データを前記データ読取装置に送信する無線通信手段とを備え、
前記データ読取装置は、前記データ送信要求を送信するデータ送信要求手段と、前記無変調キャリアを送信する電波送信手段と、前記アンテナから反射される反射波を受信し該受信した反射波に基づいて前記データを読み取るデータ読み取り手段とを備える、
ことを特徴とする無線通信システム。
【請求項１９】
前記データは１以上のファイルを含み、前記データ送信要求は、前記ファイルとそのファイル構成の少なくとも一方の送信を要求するものであることを特徴とする請求項１８記載のメモリカード通信制御方法。
【請求項２０】
前記データ送信要求は、前記データ読取装置から前記アンテナに送信される無線信号であることを特徴とする請求項１８記載の無線通信システム。
【請求項２１】
前記メモリカードは、前記有線通信手段による前記データの転送動作がなされている間は、前記無線通信手段による前記データの送信動作が禁止され、前記無線通信手段による前記データの送信動作がなされている間は、前記有線通信手段による前記データの転送動作が禁止されるように構成されていることを特徴とする請請求項１８記載の無線通信システム。
【請求項２２】
前記データ読取装置は、前記データ読み取り手段で読み取られた前記データを前記電子機器とは異なる外部装置に転送するデータ転送手段を備えることを特徴とする請求項１８記載の無線通信システム。
【請求項２３】
前記データ読取装置は、前記データ読み取り手段による前記データの受信が実行されてる期間、前記データの受信中である旨を表示する表示部を有することを特徴とする請求項１８記載の無線通信システム。
【請求項２４】
前記メモリカードは、前記電子機器と前記記憶手段の間で前記データを転送する有線通信手段を有することを特徴とする請求項１８記載の無線通信システム。
【請求項２５】
前記有線通信手段による前記データの転送動作がなされている間は、前記無線通信手段による前記データの送信動作が禁止され、前記無線通信手段による前記データの送信動作がなされている間は、前記有線通信手段による前記データの転送動作が禁止されるように構成されていることを特徴とする請求項２４記載の無線通信システム。
【発明の詳細な説明】
【技術分野】
【０００１】
本発明はメモリカード、メモリカードの通信制御方法、電子機器並びに無線通信システムに関する。
【背景技術】
【０００２】
電子機器に対して装脱可能に設けられ電子機器との間でデータを授受するメモリカードがある。前記電子機器としては、ノート型パーソナルコンピュータやデスクトップ型パーソナルコンピュータ、あるいは、デジタルカメラやカメラ付き携帯電話機などのモバイル機器がある。
このようなメモリカードに無線ＬＡＮの一種であるＢｌｕｅｔｏｏｔｈ方式等の無線通信機能を内蔵させたものが提案されている（例えば特許文献１参照）。
このような無線通信機能付きメモリカードを電子機器に装着することにより電子機器に無線通信機能を容易に付加することができる。
【特許文献１】特開２００１‐７７８７８号公報
【発明の開示】
【発明が解決しようとする課題】
【０００３】
しかしながら、このような無線通信機能付きメモリカードを使用する場合、電子機器側の無線通信機能を制御する特別なドライバーソフトウェアが必要であるため、電子機器がパーソナルコンピュータなど新規にドライバーソフトウェアをインストールすることができるものであれば問題はないが、このようなドライバーソフトウェアのインストールができない既存の電子機器、例えばデジタルカメラや携帯電話機などにおいては使用することが難しい。
また、無線通信機能付きメモリカードはＢｌｕｅｔｏｏｔｈ方式等の無線通信機能を実現する電子部品やアンテナの占有スペースを確保するため、通常のメモリカードよりも大きな外形寸法で構成されることが多い。
パーソナルコンピュータでは、メモリスロットの開口を開放したまま使用できることが多いため、メモリスロットに挿入された無線通信機能付きメモリカードの部分が開口から突出していても問題なく使用することができる。
ところが、デジタルカメラや携帯電話機などのモバイル機器ではメモリカードを保護するために、メモリカードスロットの開口を蓋で閉塞する構造となっていることから、通常のメモリカードよりも外形寸法が大きな通信機能付きメモリカードを用いると蓋を閉塞することができないという不都合がある。
したがって、従来の無線通信機能付きメモリカードは、デジタルカメラや携帯電話機などのモバイル機器で使用することが難しい。
本発明はこのような事情に鑑みなされたものであり、その目的は、ドライバーソフトウェアをインストールすることができない電子機器に装着して使用することができるとともに、既存のメモリカードと同様に電子機器に装着することができる無線通信機能を有したメモリカード、そのようなメモリカードの通信制御方法、そのようなメモリカードが装着される電子機器、並びにそのようなメモリカードおよび電子機器を備えた無線通信システムを提供することにある。
【課題を解決するための手段】
【０００４】
上述の目的を達成するため、本発明は、データを格納する記憶手段を有し、電子機器に装着されて該電子機器と前記記憶手段の間で前記データを転送し、さらにデータ読取装置へ前記データの送信を可能としたメモリカードである。
詳細には、本発明のメモリカードは、アンテナと、オン／オフすることで前記アンテナの負荷インピーダンスを切り替えるアンテナ・スイッチと、前記記憶手段に格納されたデータを読み出す読み出し手段と、前記データ読取装置からのデータ送信要求に対応して前記読み出し手段による前記データの読み出しを実行させ、前記読み出し手段により読み出されたデータのビット・イメージに基づいて前記アンテナ・スイッチをオン／オフ制御することで、前記アンテナの負荷インピーダンスの切替を行い、これにより外部から前記アンテナに送信される無変調キャリアに変調を掛けて反射波を生成し、この反射波によって前記データを前記データ読取装置に送信する無線通信手段とを備えることを特徴とする。
また、本発明は、データを格納する記憶手段を有し、電子機器に装着されて該電子機器と前記記憶手段の間で前記データを転送し、さらにデータ読取装置へ前記データの送信を可能としたメモリカードの通信制御方法である。
詳細には、本発明は、アンテナと、オン／オフすることで前記アンテナの負荷インピーダンスを切り替えるアンテナ・スイッチと、前記記憶手段に格納されたデータを読み出す読み出し手段と、前記アンテナ・スイッチをオン／オフ制御する無線通信手段とを有するメモリカードの通信制御方法であって、前記無線通信手段が、データ読取装置からのデータ送信要求に対応して前記読み出し手段による前記データの読み出しを実行させ、前記読み出し手段により読み出されたデータのビット・イメージに基づいて前記アンテナ・スイッチをオン／オフ制御することで、前記アンテナの負荷インピーダンスの切替を行い、これにより外部から前記アンテナに送信される無変調キャリアに変調を掛けて反射波を生成し、この反射波によって前記データを前記データ読取装置に送信することを特徴とする。
また、本発明は、メモリカードが装脱可能に設けられた電子機器であって、前記メモリカードは、データを格納する記憶手段を有し、電子機器に装着されて該電子機器と前記記憶手段の間で前記データを転送し、さらにデータ読取装置へ前記データの送信を可能としたものであって、アンテナと、オン／オフすることで前記アンテナの負荷インピーダンスを切り替えるアンテナ・スイッチと、前記記憶手段に格納されたデータを読み出す読み出し手段と、前記データ読取装置からのデータ送信要求に対応して前記読み出し手段による前記データの読み出しを実行させ、前記読み出し手段により読み出されたデータのビット・イメージに基づいて前記アンテナ・スイッチをオン／オフ制御することで、前記アンテナの負荷インピーダンスの切替を行い、これにより外部から前記アンテナに送信される無変調キャリアに変調を掛けて反射波を生成し、この反射波によって前記データを前記データ読取装置に送信する無線通信手段とを備えることを特徴とする。
また、本発明は、電子機器と、前記電子機器に装脱可能に設けられたメモリカードと、データ読取装置とを有する無線通信システムであって、前記メモリカードは、データを格納する記憶手段を有し、電子機器に装着されて該電子機器と前記記憶手段の間で前記データを転送し、さらにデータ読取装置へ前記データの送信を可能としたものであって、アンテナと、オン／オフすることで前記アンテナの負荷インピーダンスを切り替えるアンテナ・スイッチと、前記記憶手段に格納されたデータを読み出す読み出し手段と、前記データ読取装置からのデータ送信要求に対応して前記読み出し手段による前記データの読み出しを実行させ、前記読み出し手段により読み出されたデータのビット・イメージに基づいて前記アンテナ・スイッチをオン／オフ制御することで、前記アンテナの負荷インピーダンスの切替を行い、これにより外部から前記アンテナに送信される無変調キャリアに変調を掛けて反射波を生成し、この反射波によって前記データを前記データ読取装置に送信する無線通信手段とを備え、前記データ読取装置は、前記データ送信要求を送信するデータ送信要求手段と、前記無変調キャリアを送信する電波送信手段と、前記アンテナから反射される反射波を受信し該受信した反射波に基づいて前記データを読み取るデータ読み取り手段とを備えることを特徴とする。
【発明の効果】
【０００５】
そのため、本発明によれば、無線通信手段によって、データ読取装置からのデータ送信要求に対応して読み出し手段によるデータの読み出しを実行させ、読み出し手段によって記憶手段から読み出されたデータのビット・イメージに基づいて、アンテナ・スイッチをオン／オフ制御することで、アンテナの負荷インピーダンスの切替を行い、これにより外部から前記アンテナに送信される無変調キャリアに変調を掛けて反射波を生成し、この反射波によって前記データをデータ読取装置に送信するようにした。
したがって、記憶手段に格納されているデータをデータ読取装置に送信するにあたって、電子機器側の機能を用いないため、電子機器側の無線通信機能を制御する特別なドライバーソフトウェアをインストールする必要がなく、ドライバーソフトウェアのインストールができない既存の電子機器、例えばデジタルカメラや携帯電話機などにメモリカードを装着してデータを無線通信で送信することが可能となる。すなわち、ユーザーは所有しているデジタルカメラ等にそのまま本発明のメモリカードを適用して、簡便な画像伝送機能を得ることが出来る。
また、アンテナ・スイッチをオン／オフ制御することによりアンテナで無変調キャリアを変調した反射波を生成し、この反射波によってデータを送信する構成であるため、アンテナ・スイッチおよび無線通信手段の構成を簡素化でき、これらアンテナ・スイッチおよび無線通信手段を構成する電子部品が占有するスペースを低減できる。このため、メモリカードのケースを通常のメモリカードのケースと同一形状で構成できるので、メモリカードスロットの開口が蓋で閉塞される構造であっても使用することができ、既存のメモリカードと同様に装着することができる。
【発明を実施するための最良の形態】
【０００６】
ドライバーソフトウェアをインストールすることができない電子機器に装着して使用することができるとともに、既存のメモリカードと同様に電子機器に装着することができる無線通信機能を有したメモリカード、そのようなメモリカードの通信制御方法、そのようなメモリカードが装着される電子機器、並びにそのようなメモリカードおよび電子機器を用いた無線通信システムを提供するという目的を、データ読取装置からのデータ送信要求に対応して読み出し手段によるデータの読み出しを実行させ、読み出し手段によって記憶手段から読み出されたデータのビット・イメージに基づいて、アンテナ・スイッチをオン／オフ制御することで、アンテナの負荷インピーダンスの切替を行い、これにより外部から前記アンテナに送信される無変調キャリアに変調を掛けて反射波を生成し、この反射波によって前記データをデータ読取装置に送信することで実現した。
【実施例１】
【０００７】
次に本発明の実施例１について図面を参照して説明する。
図１は本実施例の無線通信システムの構成を示す構成図、図２はメモリカードの構成を示すブロック図、図３はメモリカードの反射波伝送部の構成を示すブロック図、図４はデータ読取装置の構成を示すブロック図、図５は本実施例の無線通信システムの動作を示すシーケンス図である。
【０００８】
図１に示すように、無線通信システム１０は、電子機器１０１と、メモリカード１１０と、データ読取装置２００と、テレビ１０６とを備えている。
本実施例では、電子機器１０１はデジタルスチルカメラで構成され、通常のメモリカードが装脱可能に構成されたメモリカードスロット１０１Ａと、メモリカードスロット１０１Ａの開口を開閉する蓋１０１Ｂと、メモリカードスロット１０１Ａに装着されたメモリカードのメモリカード側コネクタと接続される電子機器側コネクタ１０１Ｃとを有している。
電子機器１０１は、メモリカードスロット１０１Ａに装着された通常のメモリカードとの間で画像データを含むデータを電子機器側コネクタ１０１Ｃおよび前記メモリカード側コネクタを介して転送可能に構成されている。
【０００９】
図２に示すように、メモリカード１１０は、ケース（不図示）を有し、このケース内部に、記憶手段を構成するフラッシュメモリ１１４、メモリカード側コネクタ１１２、メモリ／通信制御部１１３、反射波伝送部１１５、アンテナ１１１などが収容され、メモリカード側コネクタ１１２の接片部分は前記ケースの外面に露出している。
フラッシュメモリ１１４は、データを書き換え可能に格納するものである。
メモリカード側コネクタ１１２は、通常のメモリカードと同様に電子機器側コネクタ１０１Ｃと接続可能に構成されている。
メモリ／通信制御部１１３は、電子機器１０１とフラッシュメモリ１１４の間で電子機器側コネクタ１０１Ｃおよびメモリカード側コネクタ１１２を介してデータを転送するように構成されるとともに、フラッシュメモリ１１４のデータを反射波伝送部１１５、アンテナ１１１を介してデータ読取装置１０２に無線通信で送信するように構成されている。
本実施例では、電子機器１０１によって撮像された画像データが電子機器側コネクタ１０１Ｃおよびメモリカード側コネクタ１１２を介してメモリ／通信制御部１１３からメモリカード１１０のフラッシュメモリ１１４に転送され格納されている。言い換えると、フラッシュメモリ１１４には、１以上の画像データ、すなわち１以上のファイルが格納されており、どのようなファイルがフラッシュメモリ１１４に格納されているかを示すファイル構成もフラッシュメモリ１１４に格納されている。
【００１０】
図３に示すように、反射波伝送部１１５は、アンテナ・スイッチ１１６と、アンテナ負荷１１７と、信号処理部１１８を備えている。
アンテナ・スイッチ１１６は、アンテナ１１１とアンテナ負荷１１７の間に接続され、信号処理部１１８によってオン／オフされることでアンテナ１１１を終端あるいはオープン状態にするように構成されている。本実施例では、アンテナ・スイッチ１１６は例えばガリウム砒素のＩＣからなる高周波スイッチで構成され、その消費電力は数１０μＷ以下である。
アンテナ負荷１１７は一端がアンテナ・スイッチ１１６に接続され、他端が接地されることで、アンテナ・スイッチ１１６がオンされたときにアンテナ１１１を終端する。
信号処理部１１８は、メモリ／通信制御部１１３によってフラッシュメモリ１１４から読み出されたデータのビット・イメージが供給されると、このビット・イメージに対応してアンテナ・スイッチ１１６をオン／オフ制御し、これにより、アンテナ１１１を終端あるいはオープン状態とし、言い換えると、アンテナ１１１の負荷インピーダンスを変化させる。
データ読み出し装置１０２から無変調キャリア１０３（電波）が送信された状態でアンテナ１１１が終端あるいはオープン状態に切り換えられると、無変調キャリア１０３がアンテナ１１１によって吸収あるいは反射されることで変調が掛けられた反射波１０４（図１参照）、言い換えると変調波がアンテナ１１１から送信される。このような通信方法は「バック・スキャッタ方式」と称される。
なお、前記変調波の変調方式としては、例えば、振幅偏移変調（ＡＳＫ：Ａｍｐｌｉｔｕｄｅ  Ｓｈｉｆｔ  Ｋｅｙｉｎｇ）、位相偏移変調（ＰＳＫ：Ｐｈａｓｅ  Ｓｈｉｆｔ  Ｋｅｙｉｎｇ）、四相（差動）位相変調（ＱＰＳＫ：Ｑｕａｄｒａｔｕｒｅ  Ｐｈａｓｅ  Ｓｈｉｆｔ  Ｋｅｙｉｎｇ）等を採用可能であり、本実施例ではＡＳＫを採用する。
また、本実施例では、信号処理部１１８は、データ読取装置１０２から送信される所定の変調方式で変調された送信要求信号（データ送信要求）をアンテナ１１１を介して受信する受信機能を有しており、前記送信要求信号を前記所定の変調方式に対応して復調しメモリ／通信制御部１１３に供給するように構成されている。前記送信要求信号（データ送信要求）は、フラッシュメモリ１１４に格納されている前記ファイルとそのファイル構成の少なくとも一方の送信を要求するものである。
なお、送信要求信号の変調方式は、振幅偏移変調、位相偏移変調、四相（差動）位相変調、あるいは他の方式でもよい。
【００１１】
また、メモリ／通信制御部１１３は、信号処理部１１８から供給された前記送信要求信号に基づいてフラッシュメモリ１１４のデータを読み出して反射波伝送部１１５に供給するように構成されている。
また、メモリ／通信制御部１１３によるフラッシュメモリ１１４と電子機器１０１の間でのデータの転送動作がなされている間は、信号処理部１１８による反射波１０４の送信動作（前記データの送信動作）を禁止し、信号処理部１１８による反射波１０４の送信動作（前記データの送信動作）がなされている間は、メモリ／通信制御部１１３によるフラッシュメモリ１１４と電子機器１０１の間でのデータの転送動作を禁止するように構成されている。
なお、本実施例では、電子機器側コネクタ１０１Ｃおよびメモリカード側コネクタ１１２によって特許請求の範囲のコネクタが構成され、メモリ／通信制御部１１３によって特許請求の範囲の有線通信手段と読み出し手段が構成され、信号処理部１１８によって特許請求の範囲の無線通信手段が構成されている。
【００１２】
図１に示すように、データ読取装置２００は筐体２００Ａを備え、筐体２００Ａの外面に臨む箇所には、赤外線リモコン１０８からの赤外線による制御信号を受信する赤外線受光部２０９と、メモリカード１１０からデータを受信していることを、例えば点灯動作によって示す表示部２０７とが設けられている。表示部１２０はデータ受信中にユーザーが電子機器１０１を誤って操作しないようにするためのものである。
また、データ読取装置２００は信号線１０５を介してテレビ１０６の画像入力端子に接続され、信号線１０５を介して画像データをテレビ１０６に供給するように構成されている。
筐体２００Ａの内部には、図４に示すように、アンテナ２０１、サーキュレータ２０２、受信部２０３、送信部２０４、通信制御部２０５、ＪＰＥＧデコーダ２０６が収容されている。
アンテナ２０１は、本実施例では２．４ＧＨｚ帯のアンテナで構成され、送信部２０４から供給される無変調キャリア送信信号に基づいて無変調キャリア１０３を生成し、筐体２００Ａを通過させて筐体２００Ａの外方に送信するように構成されている。
送信部２０４は、通信制御部２０５から与えられる無変調キャリア１０３の送信の指示に基づいて前記無変調キャリア送信信号を生成しサーキュレータ２０２経由でアンテナ２０１に供給する。
受信部２０３は、アンテナ２０１で受信された反射波１０４をサーキュレータ２０２経由で受信し受信信号を通信制御部２０５に供給する。
通信制御部２０５は、赤外線リモコン１０８から送信された制御信号を赤外線受光部２０９を介して受信し、その受信した制御信号によって示される無変調キャリア１０３送信開始を示す指令に基づいて送信部２０４に前記指示を与える。また、受信部２０３から受信した反射波１０４を復調してデータを生成し、このデータをＪＰＥＧデコーダ２０６に供給する。
また、通信制御部２０５は、受信部２０３によって反射波１０４が受信され前記データが復調されている期間、表示部２０７にデータの受信中である旨を表示させることで、ユーザーに電子機器１０１の操作を避けるように促す。
また、本実施例では、通信制御部２０５は、前記送信要求信号を送信部３０４、サーキュレータ２０２、アンテナ２０１を介して送信するように構成されている。
ＪＰＥＧデコーダ２０６は、供給された前記データを、ＪＰＥＧデータからアナログビデオ信号（例えばＮＴＳＣ信号）を生成し、このアナログビデオ信号を画像信号として信号線１０５を介してテレビ１０６に供給する。
なお、本実施例では、アンテナ２０１、サーキュレータ２０２、送信部２０４および通信制御部２０５によって特許請求の範囲のデータ送信要求手段および電波送信手段が構成され、アンテナ２０１、サーキュレータ２０２、受信部２０３および通信制御部２０５によって特許請求の範囲のデータ読み取り手段が構成されている。また、ＪＰＥＧデコーダ２０６によって特許請求の範囲のデータ転送手段が構成されている。
【００１３】
テレビ１０６は、信号線１０５を介して供給される前記画像信号に基づいて映像を表示するように構成されている。
また、本実施例では、テレビ１０６にも赤外線リモコン１０８からの赤外線による制御信号を受信する赤外線受光部１０７が設けられ、赤外線リモコン１０８から送信される前記制御信号に基づいてテレビ１０６が遠隔制御可能に構成されている。
【００１４】
次に図５を参照して本実施例の無線通信システムの動作を説明する。
まず、メモリカード１１０が装着された電子機器１０１をデータ読取装置２００の筐体２００Ａの上面に載置するなどして、メモリカード１１０のアンテナ１１１とデータ読取装置２００のアンテナ２０１との距離が数ｃｍとなるようにする。
まず、ユーザーの操作により赤外線リモコン１０８は、前記制御信号としてのビデオ切替信号３０１をテレビ１０６に送る。テレビ１０６は、赤外線受光部１０７を介して受信したビデオ切替信号３０１に基づいて外部ビデオ入力モードになる。
続いて、ユーザーの操作により赤外線リモコン１０８は、前記制御信号としての表示要求信号３０２をデータ読取装置２００に送る。
データ読取装置２００は、メモリカード１１０に例えばＡＳＫによる送信要求信号３０３を送信し、その後、無変調キャリア１０３を送信する。
メモリカード１１０のメモリ／通信制御部１１３は、送信要求信号３０３を受信すると、メモリ／通信制御部１１３によるフラッシュメモリ１１４と電子機器１０１の間でのデータの転送動作を禁止する転送禁止状態３０７とした後、フラッシュメモリ１１４のデータ（画像データ）を反射波１０４としてデータ読取装置２００に送信する。
データ読取装置２００は、反射波１０４としての画像データ３０４を受信、復調し、ＪＰＥＧデコーダ２０６でＪＰＥＧデコード３０５を実行し、変換されたアナログビデオ信号３０６をテレビ１０６に出力する。
これにより、テレビ１０６に映像が表示される。
なお、データ読取装置２００からテレビ１０６に出力されるアナログビデオ信号３０６は、１枚の画像でもよいし、複数の画像データを１つにまとめた一覧表示の画像でもよい。
また、データ読取装置２００に拡大、縮小、回転等の画像処理機能を設けておき、赤外線リモコン１０８によってデータ読取装置２００に前記画像処理機能を実行した画像データをアナログビデオ信号３０６としてテレビ１０６に出力するようにしてもよい。
また、ビデオ切替信号３０１と表示要求信号３０２と兼用することにより、ビデオ切替信号３０１の送信を省略してもよい。
また、本実施例では画像データ３０４のみが送信される場合について説明したが、前記送信要求信号（データ送信要求）の内容によっては、フラッシュメモリ１１４に格納されている前記ファイル（画像データ）とそのファイル構成の双方が送信され、あるいは、前記ファイル構成のみが送信される。
【００１５】
本実施例によれば、データ読取装置２００からのデータ送信要求に対応してメモリ／通信制御手段１１３によるフラッシュメモリ１１４からデータの読み出しを実行させ、メモリ／通信制御手段１１３によりフラッシュメモリ１１４から読み出されたデータのビット・イメージに基づいて、信号処理部１１８によってアンテナ・スイッチ１１６をオン／オフ制御することで、データ読取装置２００からアンテナ１１１に送信される無変調キャリア１０３を前記データのビット列にしたがってアンテナ１１１に吸収させあるいはアンテナ１１１で反射させることによって無変調キャリア１０３を変調させた反射波１０４を生成し、この反射波１０４によって前記データをデータ読取装置２００に送信するようにした。
したがって、フラッシュメモリ１１４に格納されているデータをデータ読取装置２００に送信するにあたって、電子機器１１０側の機能を用いないため、電子機器側の無線通信機能を制御する特別なドライバーソフトウェアをインストールする必要がなく、ドライバーソフトウェアのインストールができない既存の電子機器、例えばデジタルカメラや携帯電話機などにメモリカード１１０を装着してデータを無線通信で送信することが可能となる。
また、アンテナ・スイッチ１１６をオン／オフ制御することによりアンテナ１１１で無変調キャリア１０３を変調した反射波１０４を生成し、この反射波１０４によってデータを送信する構成であるため、アンテナ・スイッチ１１６および信号処理部１１８の構成を簡素化でき、メモリカード１１０のケース内でアンテナ・スイッチ１１６および信号処理部１１８を構成する電子部品が占有するスペースを低減できる。このため、メモリカード１１０のケースを通常のメモリカードのケースと同一形状で構成できるので、メモリカードスロットの開口が蓋で閉塞される構造であっても使用することができ、既存のメモリカードと同様に電子機器に装着することができる。
また、電子機器の外装が金属材料、あるいは、金属メッキがなされた合成樹脂材料で構成されている場合、Ｂｌｕｅｔｏｏｔｈ方式等を採用した従来の無線通信機能付きをメモリカードスロットに挿入して開口を蓋で閉塞すると、前記蓋を含む外装部分によって無線電波が大きく減衰され無線通信の通信速度を確保する上で不利であった。
これに対して本実施例では、アンテナ・スイッチ１１６をオン／オフ制御することによりアンテナ１１１で無変調キャリア１０３を変調した反射波１０４を生成し、この反射波１０４によって非接触でデータを送信する構成であるため、前記電波遮蔽があっても、無線回線のリンクマージンを十分に確保することができ、無変調キャリア１０３の周波数が２．４ＧＨｚ帯域であれば、データの通信速度をＢｌｕｅｔｏｏｔｈ方式の通信速度の１０倍程度、あるいは、無線ＬＡＮの通信速度と同程度とすることができ、通信速度を確保する上で有利となる。
また、本実施例では、データ読取装置２００とテレビ１０６などの外部装置とが同一の赤外線リモコン１０８で制御可能に構成されているので、電子機器１０１に装着されているメモリカード１１０のデータを前記外部装置に送信する操作を離れた位置から容易に行うことができ使い勝手を向上する上で有利となる。
【００１６】
なお、本実施例では、電子機器１０１としてデジタルカメラを用いた場合について説明したが、電子機器として、デジタルビデオカメラ、携帯電話機、ＰＤＡなどのモバイル機器、あるいは、モバイル機器以外の電子機器を用いることができることはもちろんである。
【図面の簡単な説明】
【００１７】
【図１】本実施例の無線通信システムの構成を示す構成図である。
【図２】メモリカードの構成を示すブロック図である。
【図３】メモリカードの反射波伝送部の構成を示すブロック図である。
【図４】データ読取装置の構成を示すブロック図である。
【図５】本実施例の無線通信システムの動作を示すシーケンス図である。
【符号の説明】
【００１８】
１１０……メモリカード、１１１……アンテナ、１１３……メモリ／通信制御部、１１４……フラッシュメモリ、１１５……反射波伝送部、１１６……アンテナ・スイッチ１１６、１１８……信号処理部、２００……データ読取装置。
【図１】
2006031512.tif 000003
【図２】
2006031512.tif 000004
【図３】
2006031512.tif 000005
【図４】
2006031512.tif 000006
【図５】
2006031512.tif 000007